(57)【要約】【課題】  吸着効果の低下した吸着のみを簡単に交換して吸着塔の維持管理を省力化できる排ガス処理装置を提供する。【解決手段】  有機溶剤ガスを吸着ブロアを介して吸着させる着脱自在の吸着塔を設け、該吸着塔の内部に設けた活性炭で前記有機溶剤を吸着するように構成した排ガス処理装置と、前記排ガス処理装置で使用済みの吸着塔を回収して再生する再生脱着ユニットと、該再生脱着ユニットで再生した吸着塔を乾燥する再生乾燥ユニットとを別設したことを特徴とする排ガス処理装置を構成するものである。【選択図】  図1
2013071072.tif 000002
【特許請求の範囲】
【請求項１】
有機溶剤ガスを吸着ブロアを介して吸着させる着脱自在の吸着塔を設け、該吸着塔の内部に設けた活性炭で前記有機溶剤を吸着するように構成した排ガス処理装置と、前記排ガス処理装置で使用済みの吸着塔を回収して再生する再生脱着ユニットと、該再生脱着ユニットで再生した吸着塔を乾燥する再生乾燥ユニットとを別設したことを特徴とする排ガス処理装置。
【請求項２】
前記有機溶剤がトルエン、キシレン等のＶＯＣガスであることを特徴とする請求項１記載の排ガス処理装置。
【請求項３】
前記再生脱着ユニットは、前記回収した吸着塔に蒸気を送り込んで前記活性炭に吸着した有機溶剤ガスを気化させる蒸気発生装置と、該蒸気発生装置で気化したガスと蒸気を液化する冷却装置と、液化した有機溶剤と水とを比重分離する分離器と分離器によって回収した有機溶剤を回収する溶剤タンクと分離器によって回収した水をドレンタンクに送り、曝気装置により処理する装置とを設けたことを特徴とする請求項１及び／又は請求項２記載の排ガス処理装置。
【請求項４】
再生脱着ユニットで再生した吸着塔は乾燥冷却ブロアで空気を吸着塔に送風して活性炭を乾燥する再生乾燥ユニットを別設したことを特徴とする請求項１ないし請求項3のいずれかに記載の排ガス処理装置。
【発明の詳細な説明】
【技術分野】
【０００１】
本発明は、例えば人体に有害なトルエン、キシレン等のＶＯＣガスにおける排ガス処理装置に関する。
【背景技術】
【０００２】
従来、例えば、家具工場で、工場の塗装ブースからトルエン、キシレン等のＶＯＣガスが排出される。ところで、この種の人体に有害な有機溶剤を使用する場合、洗浄装置外に有害なトルエン、キシレン等のＶＯＣガスが漏れ出ないようにしなければならない。しかるに、有害なトルエン、キシレン等のＶＯＣガスを外部に排気するようにしているところもある。
【０００３】
一方、活性炭にトルエン、キシレン等のＶＯＣガスを吸着させて排ガス処理する排ガス処理装置も開発されている（公知文献１）。
【特許文献１】登録実用新案第３０２７１８５号公報  この場合、活性炭に吸着したトルエン、キシレン等のＶＯＣガスが飽和状態にまで達すると、トルエン、キシレン等を効果的に吸着できなくなり、トルエン、キシレン等が漏れてしまう。このため、この種の排ガス処理装置には、活性炭に吸着したトルエン、キシレン等のＶＯＣガスを除去する再処理装置が付帯している。このような再処理装置は、活性炭に吸着したトルエン、キシレン等のＶＯＣガス発生装置と、気化したトルエン、キシレン等のＶＯＣガスを液化する冷却装置と、液化したトルエン、キシレン等のＶＯＣガスと水とを比重分離によって分離する分離器等から構成され、分離器によって回収したトルエン、キシレン等を再び有機溶剤として再利用するようにしている。
【発明の開示】
【発明が解決しようとする課題】
【０００４】
人体に有害なトルエン、キシレン等を使用する家具工場には、有害なトルエン、キシレンを吸着する吸着塔が必要不可欠であるとともに、吸着効果の低下した活性炭からトルエン、キシレンを除去する再処理装置も別途必要となる。このため、再処理のための設備コストがかかるとともに、吸着塔の維持管理に手間がかかる。また、吸着効果の低下した活性炭を再生する作業時においては、有機溶剤を使用する塗装工場を稼働できないから、塗装能率も悪くなるという問題があった。
【０００５】
また、このような問題点を解決し、吸着効果の低下した吸着塔を交換しても吸着塔の乾燥工程に要する作業時間がかかり、また再生した吸着塔を再処理装置に着装するのに要する時間がかかり、維持管理を能率的に行えない欠点があった。
【０００６】
本発明は、このような問題点を解決しようとするもので、吸着効果の低下した吸着のみを簡単に交換して吸着塔の維持管理を省力化できる排ガス処理装置を提供することを目的とする。
【課題を解決するための手段】
【０００７】
請求項１の発明は、有機溶剤ガスを吸着ブロアを介して吸着させる着脱自在の吸着塔を設け、該吸着塔の内部に設けた活性炭で前記有機溶剤を吸着するように構成した排ガス処理装置と、前記排ガス処理装置で使用済みの吸着塔を回収して再生する再生脱着ユニットと、該再生脱着ユニットで再生した吸着塔を乾燥する再生乾燥ユニットとを別設したことを特徴とする排ガス処理装置を構成するものである。
【０００８】
請求項２の発明は、前記請求項１記載の排ガス処理装置において、前記有機溶剤がトルエン、キシレン等のＶＯＣガスであることを特徴とするものである
【０００９】
請求項３の発明は、前記請求項１記載の排ガス処理装置において、前記再生脱着ユニットは、前記回収した吸着塔に蒸気を送り込んで前記活性炭に吸着した有機溶剤ガスを気化させる蒸気発生装置と、該蒸気発生装置で気化したガスと蒸気を液化する冷却装置と、液化した有機溶剤と水とを比重分離する分離器と分離器によって回収した有機溶剤を回収する溶剤タンクと分離器によって回収した水をドレンタンクに送り、曝気装置により処理する装置とを設けたものである。
【００１０】
請求項４の発明は、前記請求項１記載の排ガス処理装置において、再生脱着ユニットで再生した吸着塔は乾燥冷却ブロアで空気を吸着塔に送風して活性炭を乾燥する再生乾燥ユニットを別設したものである。
【発明の効果】
【００１１】
請求項１の発明によれば、常に塗装工程で発生する人体に有害なＶＯＣガスを吸着塔で効果的に吸着でき、有害な有機ガスが洗浄機の外部に漏れ出ることはない。常に吸着効果の優れた吸着塔によって有害なトルエン、キシレン等のＶＯＣガスを吸着してトルエン、キシレン等のＶＯＣガスの漏れを確実に防止することができる。
【００１２】
請求項２の発明によれば、前記請求項１の排ガス処理装置において、トルエン、キシレン等のＶＯＣガスであるから、取扱の容易なトルエン、キシレン等のＶＯＣガスによって塗料に使用でき、しかも人体に有害なトルエン、キシレン等のＶＯＣガスをカーボンタンクで効果的に吸着できる。
【００１３】
請求項３の発明によれば、前記請求項１の排ガス処理装置において、吸着塔の再生に伴なう各種付帯機器が不要で設備コストを低減できるとともに、再処理作業も短時間で済むから省力化できる。
【００１４】
請求項４の発明によれば、前記請求項１の排ガス処理装置において、有機溶剤ガスの活性炭を乾燥させる再生乾燥ユニットを別設したので、吸着塔を再処理施設で迅速に再生することができ、設備コストを低減できる。
【発明を実施するための最良の形態】
【００１５】
以下、本発明の実施例を添付図面を参照して説明する。図１、図2及び図３は本発明の一実施例を示し、図2において、工場塗装ブースからの排出したトルエン、キシレン等のＶＯＣガスは吸着ブロア３を経て吸着塔１に吸引される。吸着塔１内部にトルエン、キシレン等のＶＯＣガスを吸着する活性炭２を内蔵している。３は前記トルエン、キシレン等のＶＯＣガスを含んだ処理ガスを吸着塔１に強制的に送り出すブロアである。また、吸着塔１の排気側には所定のレベル以上のガス濃度を検出するガスセンサー４が設けられており、このガスセンサー４の検知信号によって吸着塔１が交換時期であることを警報する。
【００１６】
次に吸着塔１を再生する再生脱着ユニット2０について説明する。再生脱着ユニット2０は図１に示すように、吸着塔１内に蒸気を送り、吸着塔１に内蔵する活性炭２に付着したトルエン、キシレン等のＶＯＣガスを気化させる蒸気発生装置２２と、この蒸気発生装置2２によって送り出される吸着塔１内の空気を冷却させて蒸気と気化したトルエン、キシレン等のＶＯＣガスを液化する冷却装置としてのコンデンサー2３と、このコンデンサー2３で液化したトルエン、キシレン等のＶＯＣガスと蒸気凝縮水とを比重分離する第1分離器2４が設けられている。なお、前記第1分離器2４から排水した分離水は更にＶＯＣガスと蒸気凝縮水とを比重分離する第２分離器2５で分離され、ドレンタンク２６と溶剤タンク２７に貯蔵される。ドレンタンク２６に貯蔵された凝縮水は第1排水ポンプ２８によって連続式曝気槽２９に送られ、排水中のトルエン、キシレン等のＶＯＣガスの濃度を基準値以下に処理して排水タンク３０を経て第2排水ポンプ３１から排水される。
【００１７】
なお、再生脱着ユニット2０のコンデンサー2３で凝縮しきれないトルエン、キシレン等のＶＯＣガスである不凝ガスはドレンタンク２６を経て別置の吸着塔３２に導引され、別置の吸着塔３２で不凝ガスは吸着され、吸着塔３２は再び再生脱着ユニット2０の吸着塔１と交換されて再生脱着ユニット２０で再生される。再生された吸着塔は前記吸着塔と同様に再使用される。
【００１８】
同様に、連続式曝気槽２９に送られたトルエン、キシレン等のＶＯＣガスも別置の吸着塔３２に導引され、別置の吸着塔３２で不凝ガスは吸着され、吸着塔３２は再生脱着ユニット2０の吸着塔１と交換されて再生脱着ユニット２０で再生される。再生された吸着塔は前記吸着塔と同様に再使用される。
【００１９】
一方、第2分離器2５から排出したトルエン、キシレン等を含んだ回収溶剤は、溶剤タンク２７で回収溶剤に混入した微量の水分や酸分を除去し、さらにフィルターで濾過した後、回収溶剤ポンプ３２によって安定剤を添加して溶剤性能を高めたトルエン、キシレン等をストックタンクに貯蔵して所定量ドラム管に充填してもよい。
【００２０】
こうして再生処理した再生吸着塔１Ａは、水分を含有し乾燥していないから、図3に示すように、再生脱着ユニット2０の吸着塔１から取り外して、図3に示すように、再生乾燥ユニット40の乾燥冷却ブロア３５によって最終的に温風を供給して再生吸着塔１Ａ内の水分を乾燥させ、外気に排気させ、一部は排気排水タンク３６を経てポンプで連続式曝気槽２９に送られ、排水中のトルエン、キシレン等のＶＯＣガスの濃度を基準値以下に処理して排水タンク３０を経て第2排水ポンプ３１から排水される。
【００２１】
この活性炭を乾燥させる乾燥装置によって前述の再生吸着塔１Ａ内の水分を含有
していない乾燥したユニットを多数用意できるから、有機溶剤ガスを吸着させる着脱自在の吸着塔に連続的に供給でき、再処理作業も短時間で済むから省力化できる。
【００２２】
以上のように構成される本発明の作用について説明する。
図2に示すように、家具工場で、工場の塗装ブースから排出されたトルエン、キシレン等のＶＯＣガスは吸着ブロア３によって吸着塔１に吸引され、有害なトルエン、キシレン等のＶＯＣガスが吸着塔１に内蔵した活性炭２に吸着され、清浄な空気が外部に排気される。こうして繰り返して吸着塔１に吸引したトルエン、キシレン等のＶＯＣガスが飽和状態となってＶＯＣガスの吸引効果が低下すると、吸着塔１に設けたガスセンサーによって所定レベル以上のガス濃度が検出され、このガスセンサーから離れた再生脱着ユニット2０に検知信号が出力される。こうして再生脱着ユニット2０にガスセンサーの信号が出力されると、図1に示す再生脱着ユニットで再生した吸着塔１Ａが、あらかじめ図3に示す乾燥冷却ブロア３５で空気を吸着塔１Ａに送風して活性炭を乾燥した再生吸着塔１Ａをトラック輸送等によって搬送し、吸着効果の低下した再生脱着ユニット２０の吸着塔と脱着ユニット２０を経て再生乾燥ユニットから搬送した吸着塔１Ａとを交換する。
【００２３】
図1に示すように、再生脱着ユニット2０に運ばれた吸着塔は、ボイラー２２からの蒸気が送り込まれて吸着塔内の活性炭２に付着したトルエン、キシレン等のＶＯＣガスが気化し、このＶＯＣガスと蒸気が混在した吸着塔１内の空気がコンデンサー2３に供給され、ＶＯＣガスと蒸気凝縮水とが液化する。このＶＯＣガスと蒸気凝縮水は第1分離器２４、第２分離器２５へと送り出され、第1、第2分離器2４，２５でＶＯＣガスと水とに比重分離し、分離水はドレンタンク2６に貯蔵されてポンプでポンプ２８を経て連続式曝気装置２９に送られ、この連続式曝気装置２９よりＶＯＣガスの濃度を基準値以下に処理して排水される。一方、第2分離器2５から排出したＶＯＣガスは、フィルターで濾過して溶剤タンク２７に送り貯蔵する。そして所定量の再利用可能なトルエン、キシレンだけを回収する。
【００２４】
一方、再生処理した再生吸着塔１Ａは、水分を含有し乾燥していないから、再生脱着ユニット2０の吸着塔１から取り外して、図3に示すように、温風によって再生吸着塔１Ａ内の水分を乾燥させ、外気に排気させ、一部は排気排水タンクを経てポンプで連続式曝気槽２９に送られ、排水中のトルエン、キシレン等のＶＯＣガスの濃度を基準値以下に処理して排水タンク３０を経て第2排水ポンプ３１から排水されるので、活性炭を乾燥させる乾燥装置によって前述の再生吸着塔１Ａ内の水分を含有していない乾燥したユニットを多数用意できる。
この乾燥した吸着塔を再び塗装工場に還元することができるとともにこれを再生してストックするものであるから、ストックした再生吸着塔を迅速に交換することができる。
【００２５】
以上、本発明の一実施例を詳述したが、本発明は前記実施例に限定されるものではなく、本発明の要旨の範囲内で種々の変形実施が可能である。例えば、再生脱着ユニット2０と再生乾燥ユニット４０は独立したものであってもよい。その他基本的な構造やレイアウトあるいは吸着塔の形状やその取付け構造等は適宜選定すればよい。
【図面の簡単な説明】
【００２６】
【図１】本発明の一実施例を示す再生脱着ユニットの説明図である。
【図２】本発明の一実施例を示す工場塗装ブースからの排出したトルエン、キシレン等のＶＯＣガスが吸着ブロア３を経て吸着塔に吸引される状態を示す正面図である。
【図３】本発明の一実施例を示す再生乾燥ユニットを示す説明図である。
【符号の説明】
【００２７】
１    吸着塔
２    活性炭
３    ブロア
２０    再生脱着ユニット
２２    蒸気発生装置
２３    コンデンサー
２４    第1分離器
２５    第２分離器
２６  ドレンタンク
２７  溶剤タンク
２９  連続式曝気槽
３２  別置吸着塔
４０  再生乾燥ユニット
【図１】
2013071072.tif 000003
【図２】
2013071072.tif 000004
【図３】
2013071072.tif 000005